(57)【要約】【課題】  睡眠習慣の管理および改善に、より有効に利用できるシステムを提供する。【解決手段】  本発明の生活習慣表現装置１０は、基準情報設定部１１、実行情報取得部１２、差分情報算出部１３、楽曲変形部１４、および、出力部１５を含み、基準情報設定部１１は、生活習慣の指標となる項目毎に、基準情報を設定し、実行情報取得部１２は、前記項目毎に、ユーザーが実行した実行情報を取得し、差分情報算出部１３は、前記基準情報と前記実行情報とから、差分情報を算出し、楽曲変形部１４は、前記差分情報に基づき、楽曲を変形し、出力部１５は、前記変形された楽曲を出力する。【選択図】  図１
2020149241.tif 000002
【特許請求の範囲】
【請求項１】
基準情報設定部、実行情報取得部、差分情報算出部、楽曲変形部、および、出力部を含み、
前記基準情報設定部は、生活習慣の指標となる項目毎に、基準情報を設定し、
前記実行情報取得部は、前記項目毎に、ユーザーが実行した実行情報を取得し、
前記差分情報算出部は、前記基準情報と前記実行情報とから、差分情報を算出し、
前記楽曲変形部は、前記差分情報に基づき、楽曲を変形し、
前記出力部は、前記変形された楽曲を出力する
生活習慣表現装置。
【請求項２】
前記差分情報が、変化の割合、変化量、および変化した項目からなる群から選択される少なくとも１つである、請求項１記載の生活習慣表現装置。
【請求項３】
前記楽曲の変形が、音程の設定、テンポの設定、音色の設定、および演奏パートの設定からなる群から選択される少なくとも１つの変更である、請求項１または２記載の生活習慣表現装置。
【請求項４】
前記楽曲変形部は、分割された前記楽曲を、複数の前記ユーザーにおける前記差分情報に基づき、それぞれ変形する、請求項１から３のいずれか一項に記載の生活習慣表現装置。
【請求項５】
前記楽曲変形部は、分割された前記楽曲を、異なる日付における前記ユーザーの前記実行情報に基づき、それぞれ変形する、請求項１から４のいずれか一項に記載の生活習慣表現装置。
【請求項６】
前記生活習慣が、睡眠習慣である、請求項１から５のいずれか一項に記載の生活習慣表現装置。
【請求項７】
基準情報設定工程、実行情報取得工程、差分情報算出工程、楽曲変形工程、および、出力工程を含み、
前記基準情報設定工程は、生活習慣の指標となる項目毎に、基準情報を設定し、
前記実行情報取得工程は、前記項目毎に、ユーザーが実行した実行情報を取得し、
前記差分情報算出工程は、前記基準情報と前記実行情報とから、差分情報を算出し、
前記楽曲変形工程は、前記差分情報に基づき、楽曲を変形し、
前記出力工程は、前記変形された楽曲を出力する
生活習慣表現方法。
【請求項８】
前記差分情報が、変化の割合、変化量、および変化した項目の数からなる群から選択される少なくとも１つである、請求項７記載の生活習慣表現方法。
【請求項９】
請求項７または８記載の方法をコンピュータ上で実行可能なプログラム。
【請求項１０】
請求項９記載のプログラムを記録しているコンピュータ読み取り可能な記録媒体。
【発明の詳細な説明】
【技術分野】
【０００１】
本発明は、生活習慣表現装置、生活習慣表現方法、プログラムおよび記録媒体に関する。
【背景技術】
【０００２】
不眠に効果的な治療方法として、ＣＢＴ−Ｉ（不眠のための認知行動療法）が知られている。ＣＢＴ−Ｉは、睡眠に関連する認知や行動のクセを見直すことで、睡眠のコントロールを可能にしていくことを目標とする心理療法である。このように、睡眠に関連する行動を知ることは、快適な睡眠を得るだけでなく、不眠を治療していく上でも有用である。
【０００３】
このような背景から、睡眠習慣を記録するアプリケーションが提供されている（特許文献１）。このアプリケーションによれば、自己の睡眠習慣を管理し、改善していくことができる。
【先行技術文献】
【特許文献】
【０００４】
【特許文献１】国際公開第２０１９／０３５１６６号
【発明の概要】
【発明が解決しようとする課題】
【０００５】
そこで、本発明は、睡眠習慣の管理および改善に、より有効に利用できるシステムの提供を目的とする。
【課題を解決するための手段】
【０００６】
前記目的を達成するために、本発明の生活習慣表現装置は、
基準情報設定部、実行情報取得部、差分情報算出部、楽曲変形部、および、出力部を含み、
前記基準情報設定部は、生活習慣の指標となる項目毎に、基準情報を設定し、
前記実行情報取得部は、前記項目毎に、ユーザーが実行した実行情報を取得し、
前記差分情報算出部は、前記基準情報と前記実行情報とから、差分情報を算出し、
前記楽曲変形部は、前記差分情報に基づき、楽曲を変形し、
前記出力部は、前記変形された楽曲を出力する。
【０００７】
本発明の生活習慣表現方法は、
基準情報設定工程、実行情報取得工程、差分情報算出工程、楽曲変形工程、および、出力工程を含み、
前記基準情報設定工程は、生活習慣の指標となる項目毎に、基準情報を設定し、
前記実行情報取得工程は、前記項目毎に、ユーザーが実行した実行情報を取得し、
前記差分情報算出工程は、前記基準情報と前記実行情報とから、差分情報を算出し、
前記楽曲変形工程は、前記差分情報に基づき、楽曲を変形し、
前記出力工程は、前記変形された楽曲を出力する。
【発明の効果】
【０００８】
本発明によれば、睡眠習慣の管理および改善に、より有効に利用できるシステムを提供することができる。
【図面の簡単な説明】
【０００９】
【図１】図１は、実施形態１の生活習慣表現装置の一例の構成を示すブロック図である。
【図２】図２は、実施形態１の生活習慣表現装置のハードウエア構成の一例を示すブロック図である。
【図３】図３は、実施形態１における、ユーザー端末に出力された画面の一例を示す図である。
【図４】図４は、実施形態１の生活習慣表現装置における処理の一例を示すフローチャートである。
【発明を実施するための形態】
【００１０】
本発明の実施形態について説明する。なお、本発明は、以下の実施形態には限定されない。なお、以下の各図において、同一部分には、同一符号を付している。また、各実施形態の説明は、特に言及がない限り、互いの説明を援用できる。さらに、各実施形態の構成は、特に言及がない限り、組合せ可能である。
【００１１】
本発明において、前記生活習慣は、特に制限されず、例えば、睡眠習慣、勤務習慣（残業、早退等）、勉強習慣（勉強時間、勉強開始時間等）、運動習慣、および食習慣等があげられる。なお、前記生活習慣は、例えば、毎日の習慣でもよいし、これ以外の任意の期間における習慣でもよい。
【００１２】
［実施形態１］
本実施形態において、前記生活習慣が、睡眠習慣であり、且つ、毎日の習慣を管理する場合を例にあげて、説明する。ただし、本発明は、これらには制限されない。図１は、本実施形態の生活習慣表現装置１の一例の構成を示すブロック図である。生活習慣表現装置１０は、基準情報設定部１１、実行情報取得部１２、差分情報算出部１３、楽曲変形部１４、および、出力部１５を含む。生活習慣表現装置１０は、例えば、生活習慣表現システムともいう。
【００１３】
生活習慣表現装置１０は、例えば、前記各部を含む１つの生活習慣表現装置でもよいし、前記各部が、通信回線網を介して接続可能な生活習慣表現装置であってもよい。生活習慣表現装置１０は、例えば、本発明のプログラムがインストールされた端末でもよい。前記端末は、例えば、携帯電話、スマートフォン、タブレット、パーソナルコンピューター（ＰＣ）等があげられる。生活習慣表現装置１０は、例えば、端末とサーバーとを含み、前記端末とサーバーとが、通信回線網を介して接続可能でもよい。前記通信回線網は、例えば、インターネット回線、電話回線、ＬＡＮ（Local  Area  Network）、ＷｉＦｉ（Wireless  Fidelity）等があげられる。
【００１４】
図２に、生活習慣表現装置１０のハードウエア構成のブロック図を例示する。生活習慣表現装置１０は、例えば、ＣＰＵ（中央処理装置）１０１、メモリ１０２、バス１０３、通信デバイス１０４、記憶装置１０５、音声出力部１０７等を有する。生活習慣表現装置１０の各部は、例えば、それぞれのインターフェイス（Ｉ／Ｆ）により、バス１０３を介して、接続されている。
【００１５】
ＣＰＵ１０１は、生活習慣表現装置１０の全体の制御を担う。生活習慣表現装置１０において、ＣＰＵ１０１により、例えば、本発明のプログラムやその他のプログラムが実行され、また、各種情報の読み込みや書き込みが行われる。具体的には、例えば、ＣＰＵ１０１が、基準情報設定部１１、実行情報取得部１２、差分情報算出部１３、楽曲変形部１４、および、出力部１５として機能する。
【００１６】
バス１０３は、例えば、外部機器とも接続できる。前記外部機器は、例えば、端末、外部記憶装置（外部データベース等）、プリンター、外部スピーカー等が挙げられる。生活習慣表現装置１０は、例えば、バス１０３に接続された通信デバイス１０４により、通信回線網に接続でき、前記通信回線網を介して、前記外部機器と接続することもできる。
【００１７】
メモリ１０２は、例えば、メインメモリを含み、前記メインメモリは、主記憶装置ともいう。ＣＰＵ１０１が処理を行う際には、例えば、後述する記憶装置１０５に記憶されている本発明のプログラム等の種々の動作プログラムを、メモリ１０２が読み込み、ＣＰＵ１０１は、メモリ１０２からデータを受け取って、プログラムを実行する。前記メインメモリは、例えば、ＲＡＭ（ランダムアクセスメモリ）である。メモリ１０２は、例えば、さらに、ＲＯＭ（読み出し専用メモリ）を含む。
【００１８】
記憶装置１０５は、例えば、前記メインメモリ（主記憶装置）に対して、いわゆる補助記憶装置ともいう。前述のように、記憶装置１０５には、本発明のプログラムを含む動作プログラム１０６が格納されている。記憶装置１０５は、例えば、記憶媒体と、前記記憶媒体に読み書きするドライブとを含む。前記記憶媒体は、特に制限されず、例えば、内蔵型でも外付け型でもよく、ＨＤ（ハードディスク）、ＦＤ（フロッピー（登録商標）ディスク）、ＣＤ−ＲＯＭ、ＣＤ−Ｒ、ＣＤ−ＲＷ、ＭＯ、ＤＶＤ、フラッシュメモリー、メモリーカード等が挙げられ、前記ドライブは、特に制限されない。記憶装置１０５は、例えば、記憶媒体とドライブとが一体化されたハードディスクドライブ（ＨＤＤ）であってもよい。記憶装置１０５には、例えば、前述のように、動作プログラム１０６が格納される。また、記憶装置１０５は、例えば、後述する、楽曲、基準情報、実行情報、および差分情報等が格納されてもよい。
【００１９】
音声出力部１０７は、例えば、スピーカーであり、後述する、変形された楽曲の音声情報を出力することができる。
【００２０】
生活習慣表現装置１０は、例えば、さらに、入力装置、およびディスプレイ等の出力装置を有していてもよい。前記入力装置は、例えば、タッチパネル、キーボード、マウス等である。前記ディスプレイは、例えば、ＬＥＤディスプレイ、液晶ディスプレイ等が挙げられる。
【００２１】
生活習慣表現装置１０において、メモリ１０２および記憶装置１０５は、ユーザーからのアクセス情報およびログ情報、並びに、外部データベース（図示せず）から取得した情報を記憶することも可能である。
【００２２】
基準情報設定部１１は、睡眠習慣の指標となる項目毎に、基準情報を設定する。前記基準情報の設定は、例えば、ユーザーの入力による設定でもよいし、既定値でもよい。前記睡眠習慣の指標となる項目は、特に制限されず、例えば、睡眠の記録、および睡眠に関する補足情報等があげられ、具体的には、例えば、睡眠時間（実際に寝た時間）、入床時刻（布団に入った時刻）、入眠時刻（眠りに落ちた時刻）、覚醒時刻（目が覚めた時刻）、離床時刻（布団から出た時刻）、中途覚醒時間、睡眠効率（就床時間に対する睡眠時間の割合）、就寝前の行動、摂取した飲食物（酒、コーヒー、タバコ等）、昼寝の有無とその時間、ユーザーのコメント、および日中の元気度等があげられる。前記基準情報は、例えば、前記各項目の、目標値とすることができる。
【００２３】
前記基準情報は、例えば、生活習慣表現装置１０による睡眠習慣の管理対象となる期間（以下、管理期間ともいう。）に対して、設定することができる。前記管理期間は、例えば、ユーザーが任意に設定することができ、例えば、１日、２〜１０日間、１週間、１か月等とすることができる。前記基準情報は、例えば、前記管理期間において、毎日同じでもよいし、異なってもよい。
【００２４】
実行情報取得部１２は、前記項目毎に、ユーザーが実行した実行情報を取得する。前記実行情報の取得は、例えば、ユーザーの入力に基づき取得することができる。実行情報取得部１２は、例えば、取得したデータに基づき、前記実行情報を算出してもよい。図３は、ユーザーの端末における表示画面の一例を示す。図３（Ａ）において、ユーザーの前記端末への入力に基づき、７月６日〜７月７日の前記実行情報として、睡眠時間、睡眠効率、布団に入った時刻、眠りについた時刻、目覚めた時刻、布団から出た時刻、中途覚醒時間、昼寝時間、寝る前に摂取した飲食物、および日中の元気度（図中、キャラクターの表情により５段階にスコア化して表示される）が表示されている。また、図３（Ｂ）において、２月１６日〜２月２２日の前記実行情報として、睡眠時間、および日中の元気度が表示されている。
【００２５】
差分情報算出部１３は、前記基準情報と前記実行情報とから、差分情報を算出する。前記差分情報は、特に制限されず、前記基準情報と前記実行情報とにおける、前記項目毎の変化の割合、前記項目毎の変化量、および変化した項目があげられる。前記項目毎の変化量は、例えば、前記変化量が、所定の閾値を超えるか否かでもよい。前記変化した項目は、例えば、変化した項目の数でもよい。前記管理期間が複数日間の場合、差分情報算出部１３は、例えば、後述するように、対応する複数の前記差分情報を算出してもよいし、平均値等を算出してもよい。
【００２６】
楽曲変形部１４は、前記差分情報に基づき、楽曲を変形する。前記楽曲は、特に制限されず、既定のものでもよいし、ユーザーが設定したものでもよい。前記変形は、特に制限されず、例えば、音程の設定、テンポの設定、音色の設定、および演奏パートの設定（楽器、コーラス、メインボーカル等）等の変更があげられる。前記差分情報に基づき、楽曲を変形することにより、例えば、前記実行情報が前記基準情報に近いほど、元の曲により近い楽曲を出力することができる。このため、例えば、ユーザーが、前記楽曲の変化を、例えば、歪みとして感じることにより、自分の悪い睡眠習慣を意識することができる。なお、前記管理期間において、前記実行情報のデータが取得されなかった場合、例えば、楽曲変形部１４は、前記変形を行ってもよいし、行わなくてもよい。前者の場合、例えば、主旋律のみ等にすることができる。
【００２７】
差分情報算出部１３による前記差分情報の算出、および楽曲変形部１４による前記変形は、例えば、以下の各例に示すようにして行うことができる。ただし、本発明は、以下の各例には制限されない。
【００２８】
第１の例として、例えば、目標である前記基準情報に対し、前記実行情報において、睡眠時間が短い場合、前記楽曲のテンポを速くすることができる。すなわち、例えば、前記基準情報の睡眠時間が、７時間であり、前記実行情報における睡眠時間が、６時間である場合、前記差分情報として、これらの変化の割合を算出すると、７／６＝１．１７（すなわち、１７％の差異）となる。つぎに、前記変形として、前記変化の割合を、前記楽曲のＢＰＭ（Ｂｅａｔ  ｐｅｒ  ｍｉｎｕｉｔｅｓ）に乗じることができる。これにより、前記テンポを１７％増加させて速くした前記楽曲を生成することができる。一方、例えば、睡眠時間が長い場合、前記テンポを遅くすることができる。
【００２９】
第２の例として、例えば、目標である前記基準情報に対し、前記実行情報において、入床時刻が遅い場合、音程を下げることができる。すなわち、例えば、前記基準情報の入床時刻が、２３：００である場合、前記実行情報における入床時刻について、２３：００から１５分単位でどれだけ遅れたかを算出し、これを前記差分情報とすることができる。つぎに、前記変形として、前記実行情報の入床時刻が２３：００から１５分単位で遅れる毎に、前記楽曲の音程を、半音ずつ下げる（低くする）ことができる。すなわち、例えば、前記実行情報の入床時刻が２３：３０であれば、１音分下げた前記楽曲が生成される。一方、前記実行情報の入床時刻が２３：００から１５分単位で早まる毎に、前記楽曲の音程を、半音ずつ上げる（高くする）ことができる。なお、離床時刻についても、例えば、同様にして、前記算出および前記変形を行うことができる。また、この場合、例えば、後述するように、前記楽曲を二分割し、前記楽曲の前半は前記入床時刻、前記楽曲の後半は前記離床時刻に基づいて、それぞれ、前記変形を行うことができる。
【００３０】
第３の例として、例えば、目標である前記基準情報に対し、前記実行情報において、飲酒、喫煙等の、好ましくない項目について変化がある場合（前記基準情報では「なし」であるのに対し、前記実行情報では「あり」である、および前記基準情報における数量の範囲に対し、前記実行情報における数量が前記範囲を外れている等）、前記演奏パートの楽器数を減らすことができる。例えば、２項目の前記好ましくない項目において前記変化があると算出された場合、２つの楽器が演奏されなくなるようにすることができる。前記演奏されなくなる前記演奏パートは、例えば、主旋律以外の前記演奏パートとすることができる。
【００３１】
楽曲変形部１４は、前記変形において、分割された前記楽曲を、複数の前記差分情報に基づき、それぞれ変形してもよい。前記分割は、特に制限されず、例えば、時間分割、および演奏パートの分割があげられる。前記複数の前記差分情報は、例えば、１人の前記ユーザーの、異なる日付における前記差分情報でもよいし、複数の前記ユーザー（グループ等）の前記差分情報でもよい。
【００３２】
前記時間分割の場合、例えば、前記時間分割する単位は、特に制限されず、時間毎、小節毎、前記楽曲の構成要素毎等があげられる。そして、例えば、前記管理期間が一週間であれば、前記楽曲を７つに前記時間分割し、前記ユーザーの一週間の前記管理期間における前記差分情報に基づき、曲を完成させることができる。また、例えば、前記グループが７人の場合、各曜日をグループ構成員が担当することができる。
【００３３】
前記演奏パートの分割の場合、前記演奏パートは、例えば、各楽器、ボーカル、コーラス等があげられる。そして、例えば、前記複数の前記ユーザーが、前記楽曲の各演奏パートをそれぞれ担当することができる。
【００３４】
出力部１５は、前記変形された楽曲を出力する。出力部１５は、例えば、前記変形された楽曲を、音声情報として出力する。そして、前記音声情報が、例えば、音声出力部１０７や外部スピーカー等から音声出力される。ただし、これには制限されず、出力部１５は、例えば、前記変形された楽曲を、ファイルに出力してもよい。出力部１５は、例えば、前記変形された楽曲を、楽譜の情報として出力してもよい。
【００３５】
出力部１５は、例えば、前記管理期間の終了後、前記出力を行うことができる。これにより、前記管理期間における前記実行情報が反映された前記変形後の前記楽曲を出力することができる。ただし、これには制限されず、前記管理期間の途中においても、前記出力を行ってもよい。
【００３６】
次に、本実施形態の生活習慣表現方法について、図４を用いて説明する。図４は、前記生活習慣表現方法の一例を示すフローチャートである。本実施形態の生活習慣表現方法は、例えば、図１の生活習慣表現装置１０を用いて、次のように実施できる。なお、本実施形態の生活習慣表現方法は、図１の生活習慣表現装置１０の使用には限定されない。
【００３７】
まず、基準情報設定部１１により、生活習慣の指標となる項目毎に、基準情報を設定する（Ａ１）。
【００３８】
つぎに、実行情報取得部１２により、前記項目毎に、ユーザーが実行した実行情報を取得する（Ａ２）。
【００３９】
つぎに、差分情報算出部１３により、前記基準情報と前記実行情報とから、差分情報を算出する（Ａ３）。
【００４０】
つぎに、楽曲変形部１４により、前記差分情報に基づき、楽曲を変形する（Ａ４）。
【００４１】
つぎに、出力部１５により、前記変形された楽曲を出力し（Ａ５）、終了する（ＥＮＤ）。
【００４２】
なお、前記工程（Ａ３）および前記工程（Ａ４）は、例えば、前記工程（Ａ２）において、前記実行情報を取得する毎に、繰り返し行ってもよいし、前記管理期間の経過後等に、まとめて行ってもよい。前者の場合、例えば、前記工程（Ａ２）において、前記実行情報を取得する毎に、前記工程（Ａ４）において、分割された前記楽曲の変形を行い、前記工程（Ａ５）において、前記分割された前記変形後の前記楽曲を、結合して出力してもよい。
【００４３】
このように、本実施形態によれば、睡眠習慣を前記楽曲の変形により表現することで、睡眠習慣の管理および改善に、より有効に利用できるシステムを提供することができる。また、本実施形態の生活習慣表現装置１０によれば、例えば、睡眠習慣の記録に基づいたゲームとして楽しむこともできる。
【００４４】
［実施形態２］
本実施形態のプログラムは、前記各実施形態の生活習慣表現方法を、コンピュータ上で実行可能なプログラムである。また、本実施形態のプログラムは、例えば、コンピュータ読み取り可能な記録媒体に記録されてもよい。前記記録媒体としては、特に限定されず、例えば、読み出し専用メモリ（ＲＯＭ）、ハードディスク（ＨＤ）、光ディスク、フロッピー（登録商標）ディスク（ＦＤ）等が挙げられる。
【００４５】
以上、実施形態を参照して本発明を説明したが、本発明は、上記実施形態に限定されるものではない。本発明の構成や詳細には、本発明のスコープ内で当業者が理解しうる様々な変更をすることができる。
【産業上の利用可能性】
【００４６】
本発明によれば、睡眠習慣の管理および改善に、より有効に利用できるシステムを提供することができる。
【００４７】
上記の実施形態の一部または全部は、以下の付記のようにも記載しうるが、以下には限定されない。
（付記１）
基準情報設定部、実行情報取得部、差分情報算出部、楽曲変形部、および、出力部を含み、
前記基準情報設定部は、生活習慣の指標となる項目毎に、基準情報を設定し、
前記実行情報取得部は、前記項目毎に、ユーザーが実行した実行情報を取得し、
前記差分情報算出部は、前記基準情報と前記実行情報とから、差分情報を算出し、
前記楽曲変形部は、前記差分情報に基づき、楽曲を変形し、
前記出力部は、前記変形された楽曲を出力する
生活習慣表現装置。
（付記２）
前記差分情報が、変化の割合、変化量、および変化した項目からなる群から選択される少なくとも１つである、付記１記載の生活習慣表現装置。
（付記３）
前記楽曲の変形が、音程の設定、テンポの設定、音色の設定、および演奏パートの設定からなる群から選択される少なくとも１つの変更である、付記１または２記載の生活習慣表現装置。
（付記４）
前記楽曲変形部は、分割された前記楽曲を、複数の前記ユーザーにおける前記差分情報に基づき、それぞれ変形する、付記１から３のいずれかに記載の生活習慣表現装置。
（付記５）
前記楽曲変形部は、分割された前記楽曲を、異なる日付における前記ユーザーの前記実行情報に基づき、それぞれ変形する、付記１から４のいずれかに記載の生活習慣表現装置。
（付記６）
前記生活習慣が、睡眠習慣である、付記１から５のいずれかに記載の生活習慣表現装置。
（付記７）
基準情報設定工程、実行情報取得工程、差分情報算出工程、楽曲変形工程、および、出力工程を含み、
前記基準情報設定工程は、生活習慣の指標となる項目毎に、基準情報を設定し、
前記実行情報取得工程は、前記項目毎に、ユーザーが実行した実行情報を取得し、
前記差分情報算出工程は、前記基準情報と前記実行情報とから、差分情報を算出し、
前記楽曲変形工程は、前記差分情報に基づき、楽曲を変形し、
前記出力工程は、前記変形された楽曲を出力する
生活習慣表現方法。
（付記８）
前記差分情報が、変化の割合、変化量、および変化した項目の数からなる群から選択される少なくとも１つである、付記７記載の生活習慣表現方法。
（付記９）
前記楽曲の変形が、音程の設定、テンポの設定、音色の設定、および演奏パートの設定からなる群から選択される少なくとも１つである、付記７または８記載の生活習慣表現方法。
（付記１０）
前記楽曲変形工程は、分割された前記楽曲を、複数の前記ユーザーにおける前記差分情報に基づき、それぞれ変形する、付記７から９のいずれかに記載の生活習慣表現方法。
（付記１１）
前記楽曲変形工程は、分割された前記楽曲を、異なる日付における前記ユーザーの前記実行情報に基づき、それぞれ変形する、付記７から１０のいずれかに記載の生活習慣表現方法。
（付記１２）
前記生活習慣が、睡眠習慣である、付記７から１１のいずれかに記載の生活習慣表現方法。
（付記１３）
付記７から１２のいずれかに記載の方法をコンピュータ上で実行可能なプログラム。
（付記１４）
付記１３記載のプログラムを記録しているコンピュータ読み取り可能な記録媒体。
【符号の説明】
【００４８】
１０    生活習慣表現装置
１１    基準情報設定部
１２    実行情報取得部
１３    差分情報算出部
１４    楽曲変形部
１５    出力部
【図１】
2020149241.tif 000003
【図２】
2020149241.tif 000004
【図３】
2020149241.tif 000005
【図４】
2020149241.tif 000006